(57)【特許請求の範囲】
【請求項１】
内部に湯をたたえるドラムと、そのドラムを回転させる駆動輪と、中空であってそこを貫通する配管を有するそのドラムの軸と、その中空の軸からの水漏れと同時にその中空の軸を通過してそのドラム内に侵入する空気の溜まりを検知して或いはそのドラム内の水位の低下を検知して信号を出す検知部と、その検知部からの信号を受けてドラム内の湯量が一定に保たれるようにドラム内に補水する補水装置と、内蔵する熱交換器を介してエンジン冷却液の熱により加温される湯をポンプで圧送してそのドラムに送り込み又回収して循環させる配管回路と、から構成される融雪装置をフオークリフトの底部に装着して、フオークリフトの走行に伴いそのドラムを接地させて路面の積雪を融かすことを特徴とするエンジン廃熱を利用したフオークリフト装着の道路融雪装置。
【発明の詳細な説明】
【技術分野】
【０００１】
本発明は車両のエンジンの廃熱を利用し事業所構内道路の融雪に使用する、エンジン廃熱を利用したフオークリフト装着の道路融雪装置に関するものである。
【背景技術】
【０００２】
北国の事業所構内のフオークリフトの通路の除雪に苦労するが、雪は融かせば水となって排水溝に流出してそれ以上の手間はかからず、融かすのに必要な熱はエンジン廃熱であるから無料で理想的な道路清掃方式であり、更に、フォークリフトは決まった道路を頻繁に往復するから路面に頻繁に廃熱を与えるので融雪に好都合だが、実用化されている車両搭載型の道路融雪装置が存在しない。
【０００３】
フオークリフトに排雪板を取り付けてブルドーザの如くに排雪をしても、排雪はどこかにスペースを確保して運搬して雪山として置かねばならず、放置すると氷結して氷山になり除去に苦労するのが現状である。
【先行技術文献】
【特許文献】
【０００４】
【特許文献１】特許第３８７６４２７号
【特許文献２】特願２０１４−１６８３３９
【発明の概要】
【発明が解決しようとする課題】
【０００５】
解決しようとする問題点は、特許文献１では融雪ソリとして具体化しているがソリでは底面の損傷が発生する。スキー場では雪は存在し続けるが融雪ソリは道路上の雪を融かしてしまい、雪が無くなるのでソリの底面は路面にじかに接するからソリの底面の損傷が発生し耐久性が無いので、耐久性を有する装置を提供することを課題とする。
【課題を解決するための手段】
【０００６】
本願発明は、内部に湯をたたえるドラムと、そのドラムを回転させる駆動輪と、中空であってそこを貫通する配管を有するそのドラムの軸と、その中空の軸からの水漏れと同時にその中空の軸を通過してそのドラム内に侵入する空気の溜まりを検知して或いはそのドラム内の水位の低下を検知して信号を出す検知部と、その検知部からの信号を受けて補水する補水装置と、内蔵する熱交換器を介してエンジン冷却液の熱により加温される湯をポンプで圧送してそのドラムに送り込み又回収して循環させる配管回路と、から構成される融雪装置をフオークリフトの底部に装着して、フオークリフトの走行に伴いそのドラムを接地させて路面の積雪を融かすことを特徴とするエンジン廃熱を利用したフオークリフト装着の道路融雪装置である。
【０００７】
係る構成によれば、フオークリフトのような低速車両ではドラムを使用しても作業走行に支障をきたさないことに着目すれば、このドラムをエンジン冷却液の有する熱で熱交換器を介して加温し、加温されたドラムを本装置を装着した車両の走行により連続的に通路に接地させて、ドラム自身の熱容量により雪を融かすことにより、底面の損傷による耐久性が劣るソリを使用せずに、耐久性のある装置により道路上の融雪を行うことができるという効果がある。
【発明の効果】
【０００８】
本願発明によれば、ドラム内に設けた湯槽にエンジン廃熱を利用する熱交換器で加温された湯を循環させて、加温されたドラムを回転させて路面に接地させ通路上の雪を融かす。湯を循環させる配管回路内に内蔵されたポンプ及びエンジン廃熱を利用する熱交換器で湯は循環され加温される。これらにより、底面の損傷による耐久性が劣るソリを使用せずに、路面の雪を確実に融かすという利点がある。
【０００９】
始業時には従来通りにブルドーザ等で積雪を除去する必要があるが、上述したように日中の作業時の降雪は本融雪装置により融けて無くなるので、除雪労力や費用の削減と除雪作業時のフオークリフトの運転停止のロスが無くなるという利点がある。
【００１０】
例えば、１日に２４ｃｍの降雪は１分では０．１７ｍｍに過ぎない。例えば、フオークリフトの運転間隔が５分なら０．８５ｍｍの積雪を毎回の走行時に融かせばよい。例えば、スキー場の上を走行すれば無限軌道に多量の雪が付着して湯槽がすぐ雪で一杯になるであろうが、本考案ではそういうことは起こらないという利点がある。
【００１１】
フオークリフトの１回の走行当りにたかだか１ミリ前後の積雪を処理するのに、排土（雪）板を使用するのは板の底面がじかに路面に接するので、板と路面の損傷が避けられず耐久性に劣るので、耐久性に劣る排土(雪)板を使用せずに、路面の雪を確実に融かすという利点がある。
【００１２】
また、雪を融かして路面から無くすという直接の効果の他に、機械除雪とは異なり、雪捨て場の確保とそこ迄の雪の運搬の手間が減少されるというという利点がある。
【００１３】
また、雪はタイヤで踏み固められると圧雪から氷盤になり、こうなってはその除去に大変苦労するが雪が多少融けたシャーベット雪は除去の苦労が少ないという利点がある。
【００１４】
フオークリフトの車体の底部に装着した本装置により、普段通りにフオークリフトを作業走行させながら自動的に通路上の積雪を融かすので、融けた雪は降雨と同じく排水溝に流れ去り、わざわざ作業を一時中止して通路の積雪を排雪しなくて済み、雪が降ったからと言って作業能率を低下させなくて済むという利点がある。
【図面の簡単な説明】
【００１５】
【図１】図１は請求項１のドラムを使用する、エンジン廃熱を利用したフオークリフト装着の道路融雪装置の説明図である。(実施例１)
【発明を実施するための形態】
【００１６】
融雪ソリの如く路面との摩擦により底面が損傷する部品を採用せずに、本装置装着車両の走行速度と同じ対地走行速度を与えられことにより摩擦による損傷を防ぐドラムを採用し、そのドラムにエンジン廃熱を無駄なく伝達する伝熱方法を以下のように設計することにより、無料のエンジン廃熱を利用する車両搭載型の道路融雪方法の具体化を実現した。
【００１７】
実施形態１については、融雪部品としてドラムを採用してこれをフオークリフトの走行に同期させて回転させて接地させる。内蔵する熱交換器を介してエンジン冷却液の熱により加温されてポンプで圧送される湯を循環させる配管回路を用意する。先のドラムの中空の軸を貫通する、配管回路の給湯端部より湯をドラムに送り込み、又給湯端部の反対側に位置する回収端部よりドラムから湯を取り出す。その中空の軸からの水漏れと同時に空気が外部からその中空の軸を侵入してドラム内に空気溜まりを形成し、又ドラム内の水位が低下するので、先の回収端部から空気が吸い込まれて配管回路内を流れる気泡を検知するか、又は水位の低下を検知する検知部を用意する。その検知部から送られる信号により補水装置を作動させることによりドラム内の水位を一定に保つ。先の配管回路を循環する湯により加温されたそのドラムが駆動輪により回転されて接地されて路面の雪を融かす。この融雪装置をフオークリフトの底部に装着してフオークリフトの走行に伴い路面の積雪を融かす。
【実施例１】
【００１８】
図１は本願発明装置の実施形態についての１実施例の断面図であって、回転する１０のドラムの中空軸内に伝熱媒体である湯を通過させるための１２の配管回路の給湯端部を貫通させて、５の熱交換器を介してエンジン廃熱により加温された湯を１２の配管回路の給湯端部から６のドラム内に与える。６のドラムの内部は中空であり密閉された湯槽を形成する。６のドラム内の湯は１４の道路面において１３の積雪を融かし湯は冷え、冷えた湯は６のドラムの湯の給湯側とは反対側に設置された１６の配管回路の回収端部を経由して４のポンプで駆動される湯を循環させる９の配管回路に戻る。
【００１９】
また、６のドラム内の湯槽内の湯は５の熱交換器によりエンジン冷却液の熱を貰って加温される。
【００２０】
加温された６のドラムと１３の積雪の間には必ず雪が融けた水膜が生ずる。これはスケートと同じ原理で摩擦係数が低くなる。よって、回転されないドラムであるとドラムが雪面を滑っていくのでドラムの接地面が固定されてしまう。これでは、ドラムの融雪能力が低下するので、これを防ぐ為に６のドラムを回転させる。
【００２１】
また、６のドラムの対地走行速度を車両のそれと一致するように１７の駆動輪を駆動することにより６のドラムと１４の道路面の間のすべりを無くし６のドラムの損耗を防ぐ。
【００２２】
１０のドラムの中空の軸からは１１の水密シールを設けても（１８の水密シールも同じであるが）湯の漏洩は発生し６のドラム内の湯量は減少する。湯が１１の水密シールから漏洩すると同時に外部の空気が１１の水密シールを逆流して入り込みその空気は７のドラムの上部の空気溜まりに溜まる。６のドラムが回転しても空気は７のドラムの上部の空気溜まりに留まり続けるので、６のドラム内のドラムとは独立の１６の配管回路の回収端部から溜まった空気が吸い込まれる。検知部からの信号を受けてドラム内の湯量が一定に保たれるようにドラム内に補水する補水装置として、ここでは、吸い込まれた空気は９の配管回路内に設置した３の気泡検知及び補水装置が気泡を検知すると、１の予備水槽から２の配管を経由して水を補給する。水が補給されると６のドラム内の湯量は増大し７のドラム上部の空気溜まりの空気は減少し、８の湯面は１６の配管回路の回収端部より高くなり、１６の配管回路の回収端部から７の空気を吸い込まなくなり、９の配管回路内の空気は無くなるので、これを３の気泡検知及び補水装置が検知して水の補給を止めることにより６のドラム内の湯量は一定に保たれる。配管回路内の気泡は３の気泡及び補水装置内の空気抜き孔から排出される。
【００２３】
３の気泡検知の代わりに、８のドラム内の湯面位置を検知する１５の水位検知部を採用しても良い。この場合は１５の水位検知部から送られた信号に基づいて３の補水制御装置は補水を行う。
【００２４】
１０の中空の軸から漏洩した湯は１４の路面に落下して１３の積雪を融かすので実用上は熱損失にならない。
【産業上の利用可能性】
【００２５】
フオークリフトの車体の底部に装着した本装置により、普段通りにフオークリフトを作業走行させながら自動的に通路面上の積雪を融かすので、融けた雪は降雨と同じく排水溝に流れ去り、わざわざ作業を一時中止して通路の積雪を排雪しなくて済み、雪が降ったからと言って作業能率を低下させなくて済む。
【符号の説明】
【００２６】
１    予備水槽
２    予備水槽からの配管
３    気泡検知及び補水制御装置
４    ポンプ
５    熱交換器
６    ドラム
７    ドラム内部に生じた空気の溜まり
８    ドラム内の湯面
９    配管回路
１０  ドラムの中空の軸
１１  水密シール
１２  １０のドラムの中空の軸内を貫通する配管回路の給湯端部
１３  積雪
１４  道路面
１５  ８のドラム内の湯面位置を検知する水位検知部
１６  １０のドラムの中空の軸内を貫通する配管回路の回収端部
１７  駆動輪
１８  水密シール
【図１】
0006501101.tif 000002